(57)【要約】【課題】販売促進用展示用として使用でき、搬送中にはかさばらずに、裁置台としての使用時には機能的で、安価に製造できる裁置台を提供すること。【解決手段】柔軟な素材の発泡体もしくは内部に気体を充填可能な被膜によって形成された裁置部に固定部もしくは滑動防止部を設けた構成であり、搬送時や保管時には体積を減少できると同時に緩衝材の役割を果たし、使用時や陳列時には体積を増して本来の形状及び機能を復帰可能とした物品裁置台、及び裁置対象物と共に包装した物品裁置台の包装体を供する。前記裁置部に刃の保護部を設けたカミソリ用物品裁置台、歯ブラシの柄を立てて裁置する歯ブラシ用物品裁置台、工具を立てて裁置する工具用物品裁置台、化粧品容器の位置を安定させる化粧品用物品裁置台、飲料用液体容器を固定部で包む飲料用液体容器用裁置台及び前記各裁置物と物品裁置台の包装体を供する。【選択図】          図８
2004338730.tif 000002
【特許請求の範囲】
【請求項１】
柔軟な素材の発泡体もしくは内部に気体を充填可能な被膜によって形成された裁置部に固定部もしくは滑動防止部を設けた構成であり、搬送時や保管時には押しつぶすか空気を抜くことで体積を減少できると同時に緩衝材の役割を果たし、使用時や陳列時には圧力から解放するか空気を注入することで体積を増して本来の形状及び機能を復帰可能とした物品裁置台及び裁置対象物と共に包装した物品裁置台の包装体。
【請求項２】
前記柔軟な素材の発泡体が合成樹脂製の連続気泡発泡体であって、前記連続気泡発泡体の周囲に否透水性の被膜を形成し、当該被膜の一部を切り欠いて被膜の欠損部を形成し、押しつぶす際及び形状の復帰に当たっては当該被膜の欠損部より空気を流出入させ、使用中は前記被膜が水のしみ込むことを防げるようにした請求項１に記載した物品裁置台及び裁置対象物と共に包装した物品裁置台の包装体。
【請求項３】
体積の少なくとも５０％以上が内部に気体を充填可能な被膜によって形成された気体袋であって、気体の注入口と当該注入口の閉鎖手段を有する請求項１に記載した物品裁置台及び裁置対象物と共に包装した物品裁置台の包装体。
【請求項４】
前記裁置部に刃の保護部を設けた構成である請求項１と２と３のいずれかに記載したカミソリ用物品裁置台及びカミソリと共に包装した物品裁置台の包装体。
【請求項５】
前記固定部を前記裁置部に設けた歯ブラシの柄を立てて裁置するための歯ブラシ固定手段とする請求項１と２と３のいずれかに記載した歯ブラシ用物品裁置台及び歯ブラシと共に包装した物品裁置台の包装体。
【請求項６】
前記固定部を前記裁置部に設けた工具を立てて裁置するための工具固定手段とする請求項１と２と３のいずれかに記載した工具用物品裁置台及び工具と共に包装した物品裁置台の包装体。
【請求項７】
前記、固定部もしくは滑動防止部を前記裁置部に設けた化粧品容器を位置を安定させるための凹凸もしくは化粧品容器を差し込んでおくための差し込み穴とした請求項１と２と３のいずれかに記載した化粧品用物品裁置台及び化粧品共に包装した物品裁置台の包装体。
【請求項８】
前記、固定部を裁置面の周縁に立設し、飲料用液体容器を包むように配された筒状体とする請求項１と２と３のいずれかに記載した飲料用液体容器用裁置台及び飲料用液体容器と共に包装した物品裁置台の包装体
【発明の詳細な説明】
【０００１】
【発明の属する技術分野】
本発明は物品裁置台及び裁置対象物と共に梱包した物品裁置台の梱包体に関するものである。
【０００２】
【従来の技術】
従来、様々な物品の裁置台としては硬質のものが使われ、柔軟で変形可能な素材は使われてこなかった。
又、販売促進用展示の裁置台は特定のものに対する裁置台であることが多く、販売後無駄になることから販売対象物品の収納ケースが展示用裁置台を兼ねる構造のものが考案、発明されてきた。
【０００３】
【特許文献】特開２００１−２１３２
特開２００１−２１３２はトラベルケースと展示スタンドの組み合わせにかかるものであって、品物を収容するキャビティーを有するベースと、ふたと、前記ふたを前記ベースから開け放すことができる手段と、を有し、前記ふたは閉鎖位置と展示位置にあるとき、トラベルケースは中に含まれる物品の展示スタンドを提供することを特徴とする品物を収納及び展示するためのトラベルケースと展示スタンドの組み合わせ、であって、移送中あるいは格納中に体積を減じることはできず、耐衝撃性についても言及されていない。
【０００４】
【発明が解決しようとする課題】
販売促進用展示用として使用でき、搬送中や販売促進用展示物として使用していない状体での陳列中には体積を減じてかさばることがなく緩衝材としての役割を果たし、日常に於ける裁置台としての使用時には機能的で安定しており、見た目にも安定感と高級感があり、安価に製造できる裁置台を提供すること。
【０００５】
【課題を解決するための手段】
柔軟な素材の発泡体もしくは内部に気体を充填可能な被膜によって形成された裁置部に固定部もしくは滑動防止部を設けた構成であり、搬送時や保管時には押しつぶすか空気を抜くことで体積を減少できると同時に緩衝材の役割を果たし、使用時や陳列時には圧力から解放するか空気を注入することで体積を増して本来の形状及び機能を復帰可能とした物品裁置台及び裁置対象物と共に包装した物品裁置台の包装体を供する。
【０００６】
前記柔軟な素材の発泡体が合成樹脂製の連続気泡発泡体であって、前記連続気泡発泡体の周囲に否透水性の被膜を形成し、当該被膜の一部を切り欠いて被膜の欠損部を形成し、押しつぶす際及び形状の復帰に当たっては当該被膜の欠損部より空気を流出入させ、使用中は前記被膜が水のしみ込むことを防げるようにした物品裁置台及び裁置対象物と共に包装した物品裁置台の包装体を供する。
【０００７】
体積の少なくとも５０％以上が内部に気体を充填可能な被膜によって形成された気体袋であって、気体の注入口と当該注入口の閉鎖手段を有する物品裁置台及び裁置対象物と共に包装した物品裁置台の包装体を供する。
【０００８】
前記裁置部に刃の保護部を設けた構成であるカミソリ用物品裁置台及びカミソリと共に包装した物品裁置台の包装体を供する。
【０００９】
前記固定部を前記裁置部に設けた歯ブラシの柄を立てて裁置するための歯ブラシ固定手段とする歯ブラシ用物品裁置台及び歯ブラシと共に包装した物品裁置台の包装体を供する。
【００１０】
前記固定部を前記裁置部に設けた工具を立てて裁置するための工具固定手段とする請求項１と２と３のいずれかに記載した工具用物品裁置台及び工具と共に包装した物品裁置台の包装体を供する。
【００１１】
前記、固定部もしくは滑動防止部を前記裁置部に設けた化粧品容器を位置を安定させるための凹凸もしくは化粧品容器を差し込んでおくための差し込み穴とした化粧品用物品裁置台及び化粧品共に包装した物品裁置台の包装体を供する。
【００１２】
前記、固定部を裁置面の周縁に立設し、飲料用液体容器を包むように配された筒状体とする飲料用液体容器用裁置台及び飲料用液体容器と共に包装した物品裁置台の包装体を供する。
【００１３】
【発明の実施の形態】
発明の実施の形態について図を用いて説明する。
図１は実施例１の斜視図であって、裁置部１と裁置部１上に立設された固定部２である筒状体２１の中に裁置物３を裁置した状態を示している。
【００１４】
図２は実施例１の一部断面を含む斜視図である。裁置台の全体は柔軟な素材の発泡体４よって形成され、裁置面１１の周縁に固定部２である筒状体２１を立設した構成であり、搬送時や保管時には押しつぶすか空気を抜くことで体積を減少できると同時に緩衝材の役割を果たし、使用時や陳列時には圧力から解放することで体積を増して本来の形状に復帰して、裁置台としての機能を発揮する。
【００１５】
図３は実施例２であるカミソリ用物品裁置台の一部断面を有する斜視図である。前記柔軟な素材の発泡体４が合成樹脂製の連続気泡発泡体４１であって、前記連続気泡発泡体４１の周囲に否透水性の被膜４２を形成し、当該被膜４２の一部を切り欠いて被膜の欠損部４２１を形成し、押しつぶす際及び形状の復帰に当たっては当該被膜の欠損部４２１より空気を流出入させ、使用中は前記被膜４２が水のしみ込むことを防げるようにしたものである。本実施例はカミソリ用物品裁置台であって、水がしみこむことを防ぐ目的で前記被膜４２を形成しているが、他の用途用であっても表面の汚れを防いだり、造形的意味合いにおいて高級感を持たせることができるなど、当該被膜４２の形成は有効である。
【００１６】
図４は実施例２であるカミソリ用物品裁置台の裏面５を示す斜視図であって、図３を裏返したものである。前記被膜の欠損部４２１を被うように当該被膜の欠損部４２１を塞ぐための閉鎖手段４２２を配したものである。移送中や保管中は裁置台の全体を押しつぶして体積を減少させておき、使用する際に圧力から解放して前記被膜の欠損部被膜の４２１から空気を流入させて裁置台全体の形状を復帰させ、後に閉鎖手段４２２によって前記被膜の欠損部４２１を塞ぐことで、水がしみこむことが防げ、形状も安定する。
【００１７】
図５は実施例３の裏面５を示す斜視図である。図Ａは裁置台の裏面５に設置手段６である吸盤６１を配したものであって、実施上の具体策として吸着や粘着あるいは係止手段等の設置手段を有する物品裁置台を提示するものである。本実施例はカミソリ用物品裁置台であって、タイル製の棚など滑りやすい浴室内にあって、位置の安定を確保するために吸盤６１を設けたものである。
【００１８】
設置手段６を吸盤６１とした場合、タイルの床などにおける滑り止めの他、壁に吸着して設置することも可能である。また、図Ｂのように壁などに設けた釘状のものに係止して用いるために係止部６２を配したもの、Ｃ図のように壁などに張り付けて用いるための粘着手段６３を配したもののほか、磁力によってはりつける等の設置手段６が有効である。
【００１９】
図６は実施例３に用いる吸盤６１の一例を示す斜視図である。実施上の具体策として吸盤６１の背面に粘着面６１１を形成し、図４に於ける閉鎖手段４２２を兼ねる構成である吸盤６１を配してある物品裁置台及び裁置対象物と共に包装した物品裁置台の包装体を提示するものである。吸盤６１は背の低いラッパ状であって、吸着面６１２の背面の周縁に粘着面６１１を形成する。前記背面の中央のから周縁に向かって山状の補強部６１３を形成することが望ましいが一般的な吸盤の形状であっても効果は発揮できる。
【００２０】
図７は実施例４の一部断面を含む斜視図であり、内部に気体を充填可能な被膜７１によって形成された気体袋７による物品裁置台の例である。気体の注入口７２と当該注入口の閉鎖手段７３を有し、気体袋７内部の気体を排出することで体積を減じ、気体を注入することで体積を増すと当時に本来の裁置台としての形状及び機能を復帰させる。本実施例では裁置部１及び固定部２の総てを気体袋７によって形成しているが、裁置部１のみを平板状のものに置き換えることや、固定部２を裁置物を係止するための鉤状体に置き換えるなど、目的により、様々に変形可能である。
【００２１】
図８は実施例５の斜視図であり、前記裁置部１に刃の保護部１２を設けた構成であるカミソリ用物品裁置台の例である。裁置部１にカミソリ３１を載せ、カミソリの首３１２を固定部２によって挟持させる。裁置台の全体が柔軟素材によって形成されているため、誤ってカミソリの刃３１１をぶつけても刃を痛める危険性が少ない。裁置部１が柔軟であって、手の動きに会わせ変形することから、カミソリの柄３１３を持つ時に手に取りやすい。
【００２２】
図９は実施例６の斜視図であり、前記裁置部１に多数の突起物２０１を設けて滑動防止部２０とし、刃の保護部１２を設けた構成であるカミソリ用物品裁置台の例である。カミソリの柄３１３が突起物２０１の中に埋もれるように置かれて滑動することを防止するものであるが、当該突起物２０１は発泡体４や気体を充填可能な被膜で構成されるため、カミソリの柄３１３を手に取る場合、突起物が変形し、手に取りやすい。
【００２３】
図１０は実施例７の一部断面を含む斜視図であり、裁置台の全体を気体を充填可能な被膜７１で構成したカミソリ用物品裁置台の例である。気体注入口７２や閉鎖手段７３を有する点以外、固定部２や刃の保護部１２の構成等、実施例５と同様であり、実施例６とも同じ形状に製造可能である。使用中の機能も前記２の実施例と大きく変わるものではない。
【００２４】
図１１は実施例５で示したカミソリ用物品裁置台にカミソリ３１を載せた状体のまま、物品裁置台を圧縮して体積を減じ、圧縮包装手段８１内に閉じこめた包装体８の斜視図である。圧縮されていることからかさばらずに移送陳列でき、裁置台が柔軟素材により形成されていることから圧縮されていても緩衝材の役割を果たし、乱雑に扱って裁置物を傷つけることがない。展示時や使用時には圧縮から解放して、つまり、圧縮包装手段が真空包装であった場合には通気することで、圧縮から解放し形状を復元させる。物品裁置台が気体を充填可能な被膜７１で構成されたものであっても内部の気体を抜くことで同様の効果が得られる。この場合には圧縮の必要がない。
【００２５】
図１２は実施例８の斜視図であり、前記裁置部１に固定部２として歯ブラシ３２の差し込み穴３２２を設けた構成である歯ブラシ用物品裁置台の例である。ここでは実施上の具体策として、前記固定部２を裁置部１に設けた歯ブラシの柄３２１を立てて裁置するための差し込み穴３２２とし、差し込み穴３２２の底部に水切り手段３２３を設けた構成である請求項１と２と３のいずれかに記載した歯ブラシ用物品裁置台を提示する。前記差し込み穴３２２は、歯ブラシの柄３２１を中空にし裁置部１に突起物を形成して、前記中空部と突起物とを嵌合させて裁置することに置きかえ可能なものとする。
【００２６】
家庭内における複数の歯ブラシの保管方法として、裁置台を設けて前記歯ブラシを立てて保管することが考えられるが、使用の経過と共に裁置台に汚れが集積し易い。裁置台は歯ブラシを立てるという機能上の制約から凹凸のある形状を採らざるを得ず、面倒な掃除を必要としていた。柔軟素材による発泡体もしくは内部に気体を充填可能な被膜によって形成された気体袋によって物品裁置台を形成した場合には費用が安く済むため、使い捨てにでき衛生的と言える。
【００２７】
図１３は実施例９の斜視図であり、電動歯ブラシセットに付随して裁置台を設けた例である。電動歯ブラシセットは少なくとも電力供給部３２４と電力伝達部３２５とモーター部３２６と歯ブラシ３２によって構成され、裁置台は電力供給部３２４か電力伝達部３２５の周辺に取り付け可能とする。本実施例では固定部２を裁置部１に設けた突起物３２７とし、歯ブラシの柄３２１を中空にして、当該中空部と突起物３２７とを嵌合させ、歯ブラシ３２を立てて裁置する。
【００２８】
図１４は実施例８に於ける図１２で示した歯ブラシ用物品裁置台と歯ブラシ３２をセットにし、圧縮包装手段８１内に圧縮包装した包装体の斜視図である。裁置台ごと交換できることから衛生的に使用できる。移送陳列に場所を取らない。
【００２９】
図１５は実施例１０の斜視図であり、工具用物品裁置台の例である。ここでは実施のための具体的方策として、前記固定部２を、前記裁置部１に設けた工具３３を立てて裁置するための差し込み穴、もしくは、前記裁置部１に工具３３を挿入して保管するための溝３３１の拡幅部３３２とし、当該拡幅部３３２は前記溝３３１に工具を立てて裁置し易くするために当該溝３３１の一部を拡幅した構成（含む導入用の広口部）である工具用物品裁置台を提示する。前記差し込み穴もしくは溝の拡幅部３３２を裁置台１に工具３３を立てておくための支持部を設けることに置き換え可能とする。工具３３は扱い易いように立てておくことができ、裁置台１が柔軟素材であることから当該溝の拡幅部３３２（含む導入用の広口部）に工具３３を無造作に差し込むことが可能となる。
【００３０】
図１６は実施例１０に於ける図１５で示した工具用物品裁置台と工具３３をセットにして圧縮包装手段８１内に圧縮包装した包装体の斜視図である。工具３３は裁置台の溝３３１に挿入され、裁置台ごと圧縮包装されていることから裁置台が緩衝材となり、工具を傷つけることがなく、工具と工具がぶつかって騒音を出すこともない。荷造りも容易となる。
【００３１】
図１７は実施例１１の斜視図であり、化粧品用物品裁置台の例である。前記、固定部２もしくは滑動防止部２０を前記裁置部１に設けた化粧品容器３４を差し込んでおくための差し込み穴３４１もしくは化粧品容器３４を位置を安定させるための凹凸３４２とする。裁置台上に整理して置けることから使い勝手がよくなり、発泡体４を使用することから安い費用でボリューム感を出すことができ、表面の加飾によって高級感を演出しやすい。
【００３２】
図１８は実施例１１に於ける図１７で示した化粧品用物品裁置台と化粧品容器３４をセットにして圧縮包装手段８１内に圧縮包装した包装体の斜視図である。化粧品容器３４は裁置台ごと圧縮包装されていることから裁置台が緩衝材となり、化粧品容器３４を傷つけることがなく、化粧品容器と化粧品容器がぶつかって騒音を出すこともない。荷造りも容易となる。
【００３３】
図１９は実施例１２の斜視図であり、飲料用液体容器用物品裁置台の例である。前記固定部２は裁置面１１の周縁に立設し、飲料用液体容器を裁置した場合に飲料用液体容器を包むように配されている。
【００３４】
図２０は実施例１２に於ける図１９で示した飲料用液体容器用物品裁置台に飲料用液体容器３５を裁置したまま圧縮包装手段８１によって圧縮包装した包装体の一部断面を含む斜視図である。圧縮包装手段８１を破棄することで、固定部２である筒状体は厚みを増して図１９に示した使用時の形状に復帰する。使用時の形状に復帰した物品裁置台は固定部２が発泡体４であるため、断熱効果を発揮して加熱あるいは冷却した飲料用液体の温度が外気に触れて変化することを妨げ、加熱あるいは冷却の効果を持続させる。当該実施例の他、図７に示す内部に気体を充填可能な被膜７１によって形成された気体袋７による物品裁置台においても同様の効果が得られる。
【００３５】
【発明の効果】
本発明は柔軟な素材の発泡体もしくは内部に気体を充填可能な被膜によって形成された裁置部に固定部もしくは滑動防止部を設けた構成であり、搬送時や保管時には押しつぶすか空気を抜くことで体積を減少できると同時に緩衝材の役割を果たし、使用時や陳列時には圧力から解放するか空気を注入することで体積を増して本来の形状及び機能を復帰可能とした物品裁置台及び裁置対象物と共に包装した物品裁置台の包装体であるため次の効果を奏する。
【００３６】
圧縮して体積を減じることで、搬送中や販売促進用展示物として使用していない状体での陳列中にはかさばらずに、搬送中には緩衝材としての役割を果たし、搬送の効率を高める裁置台を安価に提供できる。使用時には体積を増してボリューム感と安定感のある形状に復帰できることから表面の加飾によっては高級感のある裁置台が安価に提供できる。
【００３７】
前記柔軟な素材の発泡体が合成樹脂製の連続気泡発泡体であって、前記連続気泡発泡体の周囲に否透水性の被膜を形成し、当該被膜の一部を切り欠いて被膜の欠損部を形成し、押しつぶす際及び形状の復帰に当たっては当該被膜の欠損部より空気を流出入させ、使用中は前記被膜が水のしみ込むことを防げるようにした物品裁置台及び裁置対象物と共に包装した物品裁置台の包装体であるため次の効果を奏する。
【００３８】
水がしみこむことを防げることから、浴室内等に於ける使用で、汚れの付着や細菌の繁殖を抑える効果を生じる。
【００３９】
体積の少なくとも５０％以上が内部に気体を充填可能な被膜によって形成された気体袋であって、気体の注入口と当該注入口の閉鎖手段を有する物品裁置台及び裁置対象物と共に包装した物品裁置台の包装体であるため次の効果を奏する。
【００４０】
空気を抜いて体積を減じることで搬送中や販売促進用展示物として使用していない状体での陳列中にはかさばらずに、搬送の効率を高める裁置台を安価に提供できる。
【００４１】
前記裁置部に刃の保護部を設けた構成であるカミソリ用物品裁置台及びカミソリと共に包装した物品裁置台の包装体であるため次の効果を奏する。
【００４２】
販売促進用の裁置台として優れている他、刃をぶつけても刃を傷つける危険の少ないカミソリ用物品裁置台が提供できる。
【００４３】
前記固定部を前記裁置部に設けた歯ブラシの柄を立てて裁置するための歯ブラシ固定手段とする歯ブラシ用物品裁置台及び歯ブラシと共に包装した物品裁置台の包装体であるため次の効果を奏する。
【００４４】
販売促進用の裁置台として優れている他、裁置台ごと交換することで衛生的な歯ブラシセットが提供できる。
【００４５】
前記固定部を前記裁置部に設けた工具を立てて裁置するための工具固定手段とする工具用物品裁置台及び工具と共に包装した物品裁置台の包装体であるため次の効果を奏する。
【００４６】
販売促進用の裁置台として優れている他、工具を使い易い状態に立てておけることから使い勝手のよい工具用物品裁置台が提供できる。
【００４７】
前記、固定部もしくは滑動防止部を前記裁置部に設けた化粧品容器を位置を安定させるための凹凸もしくは化粧品容器を差し込んでおくための差し込み穴とした化粧品用物品裁置台及び化粧品共に包装した物品裁置台の包装体であるため次の効果を奏する。
【００４８】
販売促進用の裁置台として優れている他、化粧品を使い易い状態に配置しておけることから使い勝手のよい化粧品用物品裁置台が提供できる。
【００４９】
前記、固定部を裁置面の周縁に立設し、飲料用液体容器を包むように配された筒状体とする飲料用液体容器用裁置台及び飲料用液体容器と共に包装した物品裁置台の包装体であるため次の効果を奏する。
【００５０】
裁置部及び固定部が断熱作用を有し、加熱あるいは冷却の効果を持続させることのできる飲料用液体容器用物品裁置台が提供できる。
【図面の簡単な説明】
【図１】実施例１の斜視図である。
【図２】実施例１の一部断面を含む斜視図である。
【図３】実施例２の一部断面を有する斜視図である。
【図４】実施例２の裏面を示す斜視図である。
【図５】実施例３の裏面５を示す斜視図である。
【図６】実施例３に用いる吸盤６１の一例を示す斜視図である。
【図７】実施例４の一部断面を含む斜視図である。
【図８】実施例５の斜視図である。
【図９】実施例６の斜視図である。
【図１０】実施例７の一部断面を含む斜視図である。
【図１１】物品裁置台にカミソリを載せた状体の包装体の斜視図である。
【図１２】実施例８の斜視図である。
【図１３】実施例９の斜視図である。
【図１４】物品裁置台と歯ブラシをセットにした包装体の斜視図である。
【図１５】実施例１０の斜視図である。
【図１６】物品裁置台と工具をセットにした包装体の斜視図である。
【図１７】実施例１１の斜視図である。
【図１８】物品裁置台と化粧品容器をセットした包装体の斜視図である。
【図１９】実施例１２の斜視図である。
【図２０】物品裁置台に飲料用液体容器を裁置したまま圧縮包装した包装体の一部断面を含む斜視図である。
【符号の説明】
１  裁置部
１１  裁置面
１２  刃の保護部
２  固定部
２０  滑動防止部
２０１  突起物
２１  筒状体
３  裁置物
３１  カミソリ
３１１  カミソリの刃
３１２  カミソリの首
３１３  カミソリの柄
３２  歯ブラシ
３２１  歯ブラシの柄
３２２  差し込み穴
３２３  水切り手段
３２４  電力供給部
３２５  電力伝達部
３２６  モーター部
３２７  突起物
３３  工具
３３１  溝
３３２  溝の拡幅部
３４  化粧品容器
３４１  差し込み穴
３４２  位置を安定させるための凹凸
３５  飲料用液体容器
４  発泡体
４１  連続気泡発泡体
４２  被膜
４２１  被膜の欠損部
４２２  被膜欠損部の閉鎖手段
５  裏面
６  設置手段
６１  吸盤
６１１  粘着面
６１２  吸着面
６１３  補強部
６２  係止部
６３  粘着手段
７  気体袋
７１  気体を充填可能な被膜
７２  気体の注入口
７３  注入口の閉鎖手段
８  包装体
８１  圧縮包装手段
【図１】
2004338730.tif 000003
【図２】
2004338730.tif 000004
【図３】
2004338730.tif 000005
【図４】
2004338730.tif 000006
【図５】
2004338730.tif 000007
【図６】
2004338730.tif 000008
【図７】
2004338730.tif 000009
【図８】
2004338730.tif 000010
【図９】
2004338730.tif 000011
【図１０】
2004338730.tif 000012
【図１１】
2004338730.tif 000013
【図１２】
2004338730.tif 000014
【図１３】
2004338730.tif 000015
【図１４】
2004338730.tif 000016
【図１５】
2004338730.tif 000017
【図１６】
2004338730.tif 000018
【図１７】
2004338730.tif 000019
【図１８】
2004338730.tif 000020
【図１９】
2004338730.tif 000021
【図２０】
2004338730.tif 000022
【手続補正書】
【提出日】平成16年6月1日(2004.6.1)
【手続補正１】
【補正対象書類名】明細書
【補正対象項目名】全文
【補正方法】変更
【補正の内容】
【特許請求の範囲】
【請求項１】柔軟な素材の発泡体もしくは内部に気体を充填可能な被膜によって形成された陳列及び使用のための裁置部を有する非裁置物の裁置台であって、前記非裁置物の展示中または使用中に前記非裁置物の転倒あるいは滑動を防止するための固定部又は滑動防止部を設けた構成であり、非裁置物の搬送時や非裁置物の保管時には押しつぶすか空気を抜くことで体積を減少できると同時に緩衝材の役割を果たし、前記非裁置物の使用時や陳列時には圧力から解放するか空気を注入することで体積を増して前記非裁置物の展示及び使用のための裁置台としての本来の形状及び機能を復帰可能とした物品裁置台であって、該物品裁置台と被裁置物とを共に包装した物品裁置台の包装体。
【請求項２】前記被裁置物がカミソリである、物品裁置台と被裁置物とを共に包装した請求項１に記載した物品裁置台の包装体。
【請求項３】素材が柔軟な発泡体による陳列または使用のための裁置部を有するカミソリ用の裁置台であって、カミソリの展示中または使用中に前記非裁置物の転倒あるいは滑動を防止するための固定部又は滑動防止部を設け、表面に非透水性の被膜を形成してその一部に該皮膜の欠損部を形成し、該欠損部の周縁と吸盤の周縁の背面とを接合して固定手段とするとともに前記欠損部を閉鎖するか、周縁の背面に接着面を形成した吸盤を配して閉鎖可能としたカミソリ用物品裁置台。
【請求項４】前記被裁置物が歯ブラシである、物品裁置台と被裁置物とを共に包装した請求項１に記載した物品裁置台の包装体。
【請求項５】前記被裁置物が工具である、物品裁置台と被裁置物とを共に包装した請求項１に記載した物品裁置台の包装体。
【請求項６】前記被裁置物が化粧品容器である、物品裁置台と被裁置物とを共に包装した請求項１に記載した物品裁置台の包装体。
【請求項７】飲料用液体容器を包むように配された柔軟な素材の発泡体もしくは内部に気体を充填可能な被膜によって形成された筒状体であって、搬送時や保管時には押しつぶすか空気を抜くことで体積を減少できると同時に緩衝材の役割を果たし、使用時に圧力から解放するか空気を注入することで体積を増して裁置台としての機能を持たせられる様にし、飲用時には保温の役割を果たす物品裁置台であり、押しつぶすか空気を抜くことで体積を減少し、飲料水入り容器とともに梱包された物品裁置台の包装体。
【発明の詳細な説明】
【０００１】
【発明の属する技術分野】
本発明は物品裁置台及び裁置対象物と共に梱包した物品裁置台の梱包体に関するものである。
【０００２】
【従来の技術】
従来、様々な物品の裁置台としては硬質のものが使われ、柔軟で変形可能な素材は使われてこなかった。
又、販売促進用展示の裁置台は特定のものに対する裁置台であることが多く、販売後無駄になることから販売対象物品の収納ケースが展示用裁置台を兼ねる構造のものが考案、発明されてきた。
【０００３】
【特許文献】特開２００１−２１３２
特開２００１−２１３２はトラベルケースと展示スタンドの組み合わせにかかるものであって、品物を収容するキャビティーを有するベースと、ふたと、前記ふたを前記ベースから開け放すことができる手段と、を有し、前記ふたは閉鎖位置と展示位置にあるとき、トラベルケースは中に含まれる物品の展示スタンドを提供することを特徴とする品物を収納及び展示するためのトラベルケースと展示スタンドの組み合わせ、であって、移送中あるいは格納中に体積を減じることはできず、耐衝撃性についても言及されていない。
【０００４】
【発明が解決しようとする課題】
販売促進用展示用として使用でき、搬送中や販売促進用展示物として使用していない状体での陳列中には体積を減じてかさばることがなく緩衝材としての役割を果たし、日常に於ける裁置台としての使用時には機能的で安定しており、見た目にも安定感と高級感があり、安価に製造できる裁置台を提供すること。
【０００５】
【課題を解決するための手段】
柔軟な素材の発泡体もしくは内部に気体を充填可能な被膜によって形成された陳列及び使用のための裁置部を有する非裁置物の裁置台であって、前記非裁置物の展示中または使用中に前記非裁置物の転倒あるいは滑動を防止するための固定部又は滑動防止部を設けた構成であり、非裁置物の搬送時や非裁置物の保管時には押しつぶすか空気を抜くことで体積を減少できると同時に緩衝材の役割を果たし、前記非裁置物の使用時や陳列時には圧力から解放するか空気を注入することで体積を増して前記非裁置物の展示及び使用のための裁置台としての本来の形状及び機能を復帰可能とした物品裁置台であって、該物品裁置台と被裁置物とを共に包装した物品裁置台の包装体を供する。
【０００６】
前記被裁置物がカミソリである、物品裁置台と被裁置物とを共に包装した請求項１に記載した物品裁置台の包装体を供する。
【０００７】
素材が柔軟な発泡体による陳列または使用のための裁置部を有するカミソリ用の裁置台であって、カミソリの展示中または使用中に前記非裁置物の転倒あるいは滑動を防止するための固定部又は滑動防止部を設け、表面に非透水性の被膜を形成してその一部に該皮膜の欠損部を形成し、該欠損部の周縁と吸盤の周縁の背面とを接合して固定手段とするとともに前記欠損部を閉鎖するか、周縁の背面に接着面を形成した吸盤を配して閉鎖可能としたカミソリ用物品裁置台を供する。
【０００８】
前記被裁置物が歯ブラシである、物品裁置台と被裁置物とを共に包装した請求項１に記載した物品裁置台の包装体を供する。
【０００９】
前記被裁置物が工具である、物品裁置台と被裁置物とを共に包装した請求項１に記載した物品裁置台の包装体を供する。
【００１０】
前記被裁置物が化粧品容器である、物品裁置台と被裁置物とを共に包装した請求項１に記載した物品裁置台の包装体。
を供する。
【００１１】
飲料用液体容器を包むように配された柔軟な素材の発泡体もしくは内部に気体を充填可能な被膜によって形成された筒状体であって、搬送時や保管時には押しつぶすか空気を抜くことで体積を減少できると同時に緩衝材の役割を果たし、使用時に圧力から解放するか空気を注入することで体積を増して裁置台としての機能を持たせられる様にし、飲用時には保温の役割を果たす物品裁置台であり、押しつぶすか空気を抜くことで体積を減少し、飲料水入り容器とともに梱包された物品裁置台の包装体を供する。
【００１２】
【発明の実施の形態】
発明の実施の形態について図を用いて説明する。
図１は実施例１の斜視図であって、裁置部１と裁置部１上に立設された固定部２である筒状体２１の中に裁置物３を裁置した状態を示している。
【００１３】
図２は実施例１の一部断面を含む斜視図である。裁置台の全体は柔軟な素材の発泡体４よって形成され、裁置面１１の周縁に固定部２である筒状体２１を立設した構成であり、搬送時や保管時には押しつぶすか空気を抜くことで体積を減少できると同時に緩衝材の役割を果たし、使用時や陳列時には圧力から解放することで体積を増して本来の形状に復帰して、裁置台としての機能を発揮する。
【００１４】
図３は実施例２であるカミソリ用物品裁置台の一部断面を有する斜視図である。前記柔軟な素材の発泡体４が合成樹脂製の連続気泡発泡体４１であって、前記連続気泡発泡体４１の周囲に否透水性の被膜４２を形成し、当該被膜４２の一部を切り欠いて被膜の欠損部４２１を形成し、押しつぶす際及び形状の復帰に当たっては当該被膜の欠損部４２１より空気を流出入させ、使用中は前記被膜４２が水のしみ込むことを防げるようにしたものである。本実施例はカミソリ用物品裁置台であって、水がしみこむことを防ぐ目的で前記被膜４２を形成しているが、他の用途用であっても表面の汚れを防いだり、造形的意味合いにおいて高級感を持たせることができるなど、当該被膜４２の形成は有効である。
【００１５】
図４は実施例２であるカミソリ用物品裁置台の裏面５を示す斜視図であって、図３を裏返したものである。前記被膜の欠損部４２１を被うように当該被膜の欠損部４２１を塞ぐための閉鎖手段４２２を配したものである。移送中や保管中は裁置台の全体を押しつぶして体積を減少させておき、使用する際に圧力から解放して前記被膜の欠損部被膜の４２１から空気を流入させて裁置台全体の形状を復帰させ、後に閉鎖手段４２２によって前記被膜の欠損部４２１を塞ぐことで、水がしみこむことが防げ、形状も安定する。
【００１６】
図５は実施例３の裏面５を示す斜視図である。図Ａは裁置台の裏面５に設置手段６である吸盤６１を配したものであって、実施上の具体策として吸着や粘着あるいは係止手段等の設置手段を有する物品裁置台を提示するものである。本実施例はカミソリ用物品裁置台であって、タイル製の棚など滑りやすい浴室内にあって、位置の安定を確保するために吸盤６１を設けたものである。
【００１７】
設置手段６を吸盤６１とした場合、タイルの床などにおける滑り止めの他、壁に吸着して設置することも可能である。また、図Ｂのように壁などに設けた釘状のものに係止して用いるために係止部６２を配したもの、Ｃ図のように壁などに張り付けて用いるための粘着手段６３を配したもののほか、磁力によってはりつける等の設置手段６が有効である。
【００１８】
図６は実施例３に用いる吸盤６１の一例を示す斜視図である。実施上の具体策として吸盤６１の背面に粘着面６１１を形成し、図４に於ける閉鎖手段４２２を兼ねる構成である吸盤６１を配してある物品裁置台及び裁置対象物と共に包装した物品裁置台の包装体を提示するものである。吸盤６１は背の低いラッパ状であって、吸着面６１２の背面の周縁に粘着面６１１を形成する。前記背面の中央のから周縁に向かって山状の補強部６１３を形成することが望ましいが一般的な吸盤の形状であっても効果は発揮できる。
【００１９】
図７は実施例４の一部断面を含む斜視図であり、内部に気体を充填可能な被膜７１によって形成された気体袋７による物品裁置台の例である。気体の注入口７２と当該注入口の閉鎖手段７３を有し、気体袋７内部の気体を排出することで体積を減じ、気体を注入することで体積を増すと当時に本来の裁置台としての形状及び機能を復帰させる。本実施例では裁置部１及び固定部２の総てを気体袋７によって形成しているが、裁置部１のみを平板状のものに置き換えることや、固定部２を裁置物を係止するための鉤状体に置き換えるなど、目的により、様々に変形可能である。
【００２０】
図８は実施例５の斜視図であり、前記裁置部１に刃の保護部１２を設けた構成であるカミソリ用物品裁置台の例である。裁置部１にカミソリ３１を載せ、カミソリの首３１２を固定部２によって挟持させる。裁置台の全体が柔軟素材によって形成されているため、誤ってカミソリの刃３１１をぶつけても刃を痛める危険性が少ない。裁置部１が柔軟であって、手の動きに会わせ変形することから、カミソリの柄３１３を持つ時に手に取りやすい。
【００２１】
図９は実施例６の斜視図であり、前記裁置部１に多数の突起物２０１を設けて滑動防止部２０とし、刃の保護部１２を設けた構成であるカミソリ用物品裁置台の例である。カミソリの柄３１３が突起物２０１の中に埋もれるように置かれて滑動することを防止するものであるが、当該突起物２０１は発泡体４や気体を充填可能な被膜で構成されるため、カミソリの柄３１３を手に取る場合、突起物が変形し、手に取りやすい。
【００２２】
図１０は実施例７の一部断面を含む斜視図であり、裁置台の全体を気体を充填可能な被膜７１で構成したカミソリ用物品裁置台の例である。気体注入口７２や閉鎖手段７３を有する点以外、固定部２や刃の保護部１２の構成等、実施例５と同様であり、実施例６とも同じ形状に製造可能である。使用中の機能も前記２の実施例と大きく変わるものではない。
【００２３】
図１１は実施例５で示したカミソリ用物品裁置台にカミソリ３１を載せた状体のまま、物品裁置台を圧縮して体積を減じ、圧縮包装手段８１内に閉じこめた包装体８の斜視図である。圧縮されていることからかさばらずに移送陳列でき、裁置台が柔軟素材により形成されていることから圧縮されていても緩衝材の役割を果たし、乱雑に扱って裁置物を傷つけることがない。展示時や使用時には圧縮から解放して、つまり、圧縮包装手段が真空包装であった場合には通気することで、圧縮から解放し形状を復元させる。物品裁置台が気体を充填可能な被膜７１で構成されたものであっても内部の気体を抜くことで同様の効果が得られる。この場合には圧縮の必要がない。
【００２４】
図１２は実施例８の斜視図であり、前記裁置部１に固定部２として歯ブラシ３２の差し込み穴３２２を設けた構成である歯ブラシ用物品裁置台の例である。ここでは実施上の具体策として、前記固定部２を裁置部１に設けた歯ブラシの柄３２１を立てて裁置するための差し込み穴３２２とし、差し込み穴３２２の底部に水切り手段３２３を設けた構成である請求項１と２と３のいずれかに記載した歯ブラシ用物品裁置台を提示する。前記差し込み穴３２２は、歯ブラシの柄３２１を中空にし裁置部１に突起物を形成して、前記中空部と突起物とを嵌合させて裁置することに置きかえ可能なものとする。
【００２５】
家庭内における複数の歯ブラシの保管方法として、裁置台を設けて前記歯ブラシを立てて保管することが考えられるが、使用の経過と共に裁置台に汚れが集積し易い。裁置台は歯ブラシを立てるという機能上の制約から凹凸のある形状を採らざるを得ず、面倒な掃除を必要としていた。柔軟素材による発泡体もしくは内部に気体を充填可能な被膜によって形成された気体袋によって物品裁置台を形成した場合には費用が安く済むため、使い捨てにでき衛生的と言える。
【００２６】
図１３は実施例９の斜視図であり、電動歯ブラシセットに付随して裁置台を設けた例である。電動歯ブラシセットは少なくとも電力供給部３２４と電力伝達部３２５とモーター部３２６と歯ブラシ３２によって構成され、裁置台は電力供給部３２４か電力伝達部３２５の周辺に取り付け可能とする。本実施例では固定部２を裁置部１に設けた突起物３２７とし、歯ブラシの柄３２１を中空にして、当該中空部と突起物３２７とを嵌合させ、歯ブラシ３２を立てて裁置する。
【００２７】
図１４は実施例８に於ける図１２で示した歯ブラシ用物品裁置台と歯ブラシ３２をセットにし、圧縮包装手段８１内に圧縮包装した包装体の斜視図である。裁置台ごと交換できることから衛生的に使用できる。移送陳列に場所を取らない。
【００２８】
図１５は実施例１０の斜視図であり、工具用物品裁置台の例である。ここでは実施のための具体的方策として、前記固定部２を、前記裁置部１に設けた工具３３を立てて裁置するための差し込み穴、もしくは、前記裁置部１に工具３３を挿入して保管するための溝３３１の拡幅部３３２とし、当該拡幅部３３２は前記溝３３１に工具を立てて裁置し易くするために当該溝３３１の一部を拡幅した構成（含む導入用の広口部）である工具用物品裁置台を提示する。前記差し込み穴もしくは溝の拡幅部３３２を裁置台１に工具３３を立てておくための支持部を設けることに置き換え可能とする。工具３３は扱い易いように立てておくことができ、裁置台１が柔軟素材であることから当該溝の拡幅部３３２（含む導入用の広口部）に工具３３を無造作に差し込むことが可能となる。
【００２９】
図１６は実施例１０に於ける図１５で示した工具用物品裁置台と工具３３をセットにして圧縮包装手段８１内に圧縮包装した包装体の斜視図である。工具３３は裁置台の溝３３１に挿入され、裁置台ごと圧縮包装されていることから裁置台が緩衝材となり、工具を傷つけることがなく、工具と工具がぶつかって騒音を出すこともない。荷造りも容易となる。
【００３０】
図１７は実施例１１の斜視図であり、化粧品用物品裁置台の例である。前記、固定部２もしくは滑動防止部２０を前記裁置部１に設けた化粧品容器３４を差し込んでおくための差し込み穴３４１もしくは化粧品容器３４を位置を安定させるための凹凸３４２とする。裁置台上に整理して置けることから使い勝手がよくなり、発泡体４を使用することから安い費用でボリューム感を出すことができ、表面の加飾によって高級感を演出しやすい。
【００３１】
図１８は実施例１１に於ける図１７で示した化粧品用物品裁置台と化粧品容器３４をセットにして圧縮包装手段８１内に圧縮包装した包装体の斜視図である。化粧品容器３４は裁置台ごと圧縮包装されていることから裁置台が緩衝材となり、化粧品容器３４を傷つけることがなく、化粧品容器と化粧品容器がぶつかって騒音を出すこともない。荷造りも容易となる。
【００３２】
図１９は実施例１２の斜視図であり、飲料用液体容器用物品裁置台の例である。前記固定部２は裁置面１１の周縁に立設し、飲料用液体容器を裁置した場合に飲料用液体容器を包むように配されている。
【００３３】
図２０は実施例１２に於ける図１９で示した飲料用液体容器用物品裁置台に飲料用液体容器３５を裁置したまま圧縮包装手段８１によって圧縮包装した包装体の一部断面を含む斜視図である。圧縮包装手段８１を破棄することで、固定部２である筒状体は厚みを増して図１９に示した使用時の形状に復帰する。使用時の形状に復帰した物品裁置台は固定部２が発泡体４であるため、断熱効果を発揮して加熱あるいは冷却した飲料用液体の温度が外気に触れて変化することを妨げ、加熱あるいは冷却の効果を持続させる。当該実施例の他、図７に示す内部に気体を充填可能な被膜７１によって形成された気体袋７による物品裁置台においても同様の効果が得られる。
【００３４】
【発明の効果】
柔軟な素材の発泡体もしくは内部に気体を充填可能な被膜によって形成された陳列及び使用のための裁置部を有する非裁置物の裁置台であって、前記非裁置物の展示中または使用中に前記非裁置物の転倒あるいは滑動を防止するための固定部又は滑動防止部を設けた構成であり、非裁置物の搬送時や非裁置物の保管時には押しつぶすか空気を抜くことで体積を減少できると同時に緩衝材の役割を果たし、前記非裁置物の使用時や陳列時には圧力から解放するか空気を注入することで体積を増して前記非裁置物の展示及び使用のための裁置台としての本来の形状及び機能を復帰可能とした物品裁置台であって、該物品裁置台と被裁置物とを共に包装した物品裁置台の包装体であるため次の効果を奏する。
【００３５】
圧縮して体積を減じることで、搬送中や販売促進用展示物として使用していない状体での陳列中にはかさばらずに、搬送中には緩衝材としての役割を果たし、搬送の効率を高める裁置台を安価に提供できる。使用時には体積を増してボリューム感と安定感のある形状に復帰できることから表面の加飾によっては高級感のある裁置台が安価に提供できる。
【００３６】
前記被裁置物がカミソリである、物品裁置台と被裁置物とを共に包装した請求項１に記載した物品裁置台の包装体であるため次の効果を奏する。
【００３７】
販売促進用の裁置台として優れている他、刃をぶつけても刃を傷つける危険の少ないカミソリ用物品裁置台が提供できる。
【００３８】
素材が柔軟な発泡体による陳列または使用のための裁置部を有するカミソリ用の裁置台であって、カミソリの展示中または使用中に前記非裁置物の転倒あるいは滑動を防止するための固定部又は滑動防止部を設け、表面に非透水性の被膜を形成してその一部に該皮膜の欠損部を形成し、該欠損部の周縁と吸盤の周縁の背面とを接合して固定手段とするとともに前記欠損部を閉鎖するか、周縁の背面に接着面を形成した吸盤を配して閉鎖可能としたカミソリ用物品裁置台であるため次の効果を奏する。
【００３９】
刃をぶつけても刃を傷つける危険が少なく、設置位置を安定できるカミソリ用物品裁置台が提供できる。
【００４０】
前記被裁置物が歯ブラシである、物品裁置台と被裁置物とを共に包装した請求項１に記載した物品裁置台の包装体であるため次の効果を奏する。
【００４１】
販売促進用の裁置台として優れている他、裁置台ごと交換することで衛生的な歯ブラシセットが提供できる。
【００４２】
前記被裁置物が工具である、物品裁置台と被裁置物とを共に包装した請求項１に記載した物品裁置台の包装体であるため次の効果を奏する。
【００４３】
販売促進用の裁置台として優れている他、工具を使い易い状態に立てておけることから使い勝手のよい工具用物品裁置台が提供できる。
【００４４】
前記被裁置物が化粧品容器である、物品裁置台と被裁置物とを共に包装した請求項１に記載した物品裁置台の包装体であるため次の効果を奏する。
【００４５】
販売促進用の裁置台として優れている他、化粧品を使い易い状態に配置しておけることから使い勝手のよい化粧品用物品裁置台が提供できる。
【００４６】
飲料用液体容器を包むように配された柔軟な素材の発泡体もしくは内部に気体を充填可能な被膜によって形成された筒状体であって、搬送時や保管時には押しつぶすか空気を抜くことで体積を減少できると同時に緩衝材の役割を果たし、使用時に圧力から解放するか空気を注入することで体積を増して裁置台としての機能を持たせられる様にし、飲用時には保温の役割を果たす物品裁置台であり、押しつぶすか空気を抜くことで体積を減少し、飲料水入り容器とともに梱包された物品裁置台の包装体であるため次の効果を奏する。
【００４７】
裁置部及び固定部が断熱作用を有し、加熱あるいは冷却の効果を持続させることのできる飲料用液体容器用物品裁置台が提供できる。
【図面の簡単な説明】
【図１】実施例１の斜視図である。
【図２】実施例１の一部断面を含む斜視図である。
【図３】実施例２の一部断面を有する斜視図である。
【図４】実施例２の裏面を示す斜視図である。
【図５】実施例３の裏面５を示す斜視図である。
【図６】実施例３に用いる吸盤６１の一例を示す斜視図である。
【図７】実施例４の一部断面を含む斜視図である。
【図８】実施例５の斜視図である。
【図９】実施例６の斜視図である。
【図１０】実施例７の一部断面を含む斜視図である。
【図１１】物品裁置台にカミソリを載せた状体の包装体の斜視図である。
【図１２】実施例８の斜視図である。
【図１３】実施例９の斜視図である。
【図１４】物品裁置台と歯ブラシをセットにした包装体の斜視図である。
【図１５】実施例１０の斜視図である。
【図１６】物品裁置台と工具をセットにした包装体の斜視図である。
【図１７】実施例１１の斜視図である。
【図１８】物品裁置台と化粧品容器をセットした包装体の斜視図である。
【図１９】実施例１２の斜視図である。
【図２０】物品裁置台に飲料用液体容器を裁置したまま圧縮包装した包装体の一部断面を含む斜視図である。
【符号の説明】
１  裁置部
１１  裁置面
１２  刃の保護部
２  固定部
２０  滑動防止部
２０１  突起物
２１  筒状体
３  裁置物
３１  カミソリ
３１１  カミソリの刃
３１２  カミソリの首
３１３  カミソリの柄
３２  歯ブラシ
３２１  歯ブラシの柄
３２２  差し込み穴
３２３  水切り手段
３２４  電力供給部
３２５  電力伝達部
３２６  モーター部
３２７  突起物
３３  工具
３３１  溝
３３２  溝の拡幅部
３４  化粧品容器
３４１  差し込み穴
３４２  位置を安定させるための凹凸
３５  飲料用液体容器
４  発泡体
４１  連続気泡発泡体
４２  被膜
４２１  被膜の欠損部
４２２  被膜欠損部の閉鎖手段
５  裏面
６  設置手段
６１  吸盤
６１１  粘着面
６１２  吸着面
６１３  補強部
６２  係止部
６３  粘着手段
７  気体袋
７１  気体を充填可能な被膜
７２  気体の注入口
７３  注入口の閉鎖手段
８  包装体
８１  圧縮包装手段